(57)【要約】      （修正有）【課題】様々なサイズと形の顔と耳にも関わらず、一対の耳掛け穴が利用者に快適な装着感を与えると共に利用者の耳に確実に係止される保温着を提供する。【解決手段】保温着は、高い伸縮方向を縦に且つ二重にしたジャージー生地で形成されたゆったりサイズのジャージー製タートルネック部２０を丸首のジャージー製保温着本体部１０に縫合した保温着である。そして、タートルネック部２０の上端部には、その長軸の延長線Ｌが利用者の耳の位置の水平線Ｌ１と耳と顎を結ぶ斜線とがなす角度内に入るようにして一対の耳掛け穴２３，２３が形成されたものである。【選択図】図１
0003145210.tif 000002
【実用新案登録請求の範囲】
【請求項１】
高い伸縮方向を縦に且つ二重にしたジャージー生地で形成されたゆったりサイズのジャージー製タートルネック部を丸首のジャージー製保温着本体部に縫合した保温着であって、前記タートルネック部には、その長軸の延長線Ｌが利用者２の耳３の位置の水平線Ｌ１と耳３と顎を結ぶ斜線Ｌ２とがなす角度内に入るようにして形成された一対の楕円形の耳掛け穴を備えていることを特徴とする保温着。
【請求項２】
前記ジャージー製タートルネック部は、高い伸縮方向を縦に且つ二重にしたジャージー生地の前側衿部材と後側衿部材を縫合して形成されたものであること、及び、前記一対の楕円形の耳掛け穴は前記前側衿部材に形成されていることを特徴とする請求項１に記載の保温着。
【請求項３】
前記ジャージー製タートルネック部は、その長さが利用者の肩から耳付近まで、その筒周りが利用者の頭周りより１割から２割程度大きな円筒状体であることを特徴とする請求項１又は２に記載の保温着。
【請求項４】
前記ジャージー製タートルネック部は、その長さが利用者の肩から耳付近まで、その最大筒周りが利用者の頭周りより１割から２割程度大きく且つその最小筒周りが利用者の頭周りと同程度のサイズの漏斗状体であることを特徴とする請求項１又は２に記載の保温着。
【請求項５】
前記ジャージー製保温着本体部は、着丈が身長の三分の一程度であることを特徴とする請求項1に記載の保温着。
【請求項６】
前記ジャージーは綿ジャージーであることを特徴とする請求項1から５のいずれかに記載の保温着。
【考案の詳細な説明】
【技術分野】
【０００１】
本考案は、首と顎を快適に保温できる保温着であって、主に就寝時の着用に適した保温着に関する。
【背景技術】
【０００２】
就寝時に鼻や喉の乾燥を防止することが風邪予防に効果があること、そのためには就寝時に首を適度に保温することが効果的であることは周知の事実である。首の保温のためのネックウォーマーは、ウール、フリース、綿などの様々な生地のものが市販されている。この市販のネックウォーマーは、筒回りが利用者の首周りと同程度又は１割程度小さい略円筒状体からなり、使用時には生地の高い伸縮性によって前記略円筒状体を利用者の首に密着させ、これによってネックウォーマーは着用位置に保持される。しかしながら、この市販のネックウォーマーは、首への圧迫感があること、及び保温効果が高過ぎることの理由で就寝時用保温具には適さないものである。実用新案登録第３１０５９７８号公報（特許文献１）、実用新案登録第３１０５２７１号公報（特許文献２）、実用新案登録第３０９９４６０号公報（特許文献３）に開示されているネックウォーマーも、同様の理由から、就寝時用保温具としては利用されていないようである。
【０００３】
市販のウールのニットのタートルネックセーターや綿１００％リブ編タートルネックセーターや綿ジャージー製のタートルネックインナーウエアは、筒回りが利用者の首周りと同程度で且つ長さが首の２倍程度のタートルネック部を供えたものである。そして、前記タートルネック部は、使用時には、生地の高い伸縮性によって利用者の首に密着し、その位置に保持されるものである。これらのタートルネックセーターやタートルネックインナーウエアは、寒い時期の保温着としては快適であるが、就寝時に着用されることは通常はありえない。首への圧迫感があるからである。
【０００４】
それでも綿ジャージー製のタートルネックインナーウエアを就寝時に着用する人々もいるが、彼らが風邪にかかり難くなったとは考えられない。その綿ジャージー製タートルネック部は、首の上部をカバーすることができないために、風邪予防に効果があるとされる首全体の快適な保温が出来ないからである。
【０００５】
フリース製タートルネック部を丸首のフリース製パジャマ本体に縫合したタートルネックパジャマも市販されている。前記フリース製タートルネック部は、その筒周りは利用者の頭周りと同程度の大きなタートルネック部、言わば、ゆったりサイズのタートルネック部である。このため、前記フリース製タートルネック部は、使用時には、生地の高い伸縮性によって利用者の首に密着し、その位置に保持されることが不可能である。それでも使用時に前記フリース製タートルネック部が、利用者の首の回りに保持されるのは、その長さが利用者の首の半分程度と短いこと、及び比較的厚手のフリース生地を二重にして形成されて腰折れし難い構造であるからである。ところで、前記フリース製タートルネック部は、比較的厚手のフリース生地を二重にしてあるが、伸縮方向を横にして形成されているので、頭周り程度の筒周りは着脱時には３〜４割程度も拡大する。従って、この従来のタートルネックパジャマは、着脱容易で、着用時に圧迫感がない。
【０００６】
しかしながら、この従来のタートルネックパジャマは、首を快適に保温することが出来ない。何故なら、この従来のタートルネックパジャマを着用すると、首をぐるりと囲む略円筒状隙間、それも長さが利用者の首の半分程度の片端開口の略円筒状隙間が、前記フリース製タートルネック部と利用者の首の間に形成されるからである。即ち、前記片側開口の略円筒状隙間は、間隔は最大が３０ｍｍ〜４０ｍｍ程度もあって、利用者の肩側は閉じているが顎側は外に開いているものである。このため、この従来のタートルネックパジャマを着用して就寝すると、冷えた外気が利用者の顎下付近から前記略円筒状隙間に入り込んで、前記フリース製タートルネック部の保温効果を低下させ、風邪予防効果を発揮し難くしているのである。
【０００７】
上述の状況に鑑み、本考案者は、ゆったりサイズのジャージー製タートルネック部を丸首のジャージー製保温着本体部に縫合した保温着を何種類も試作した結果、風邪予防効果と保湿効果を奏する実用的な保温着を完成した。なお、本明細書で、ゆったりサイズのタートルネック部とは、筒周りが利用者の頭周よりも小さくないタートルネック部をいう。
【０００８】
この保温着は、ゆったりサイズの綿ジャージー製タートルネック部を丸首の綿ジャージー保温着本体に縫合したものであって、ジャージー製タートルネック部を、高い伸縮方向を縦に且つ二重にしたジャージー生地で形成されたジャージー製漏斗状体としたものである。そして、前記ジャージー製漏斗状体はその長さが利用者の肩から耳付近まで、その最大筒周りが利用者の頭周りより１割から２割程度大きく且つその最小筒周りが利用者の頭周りと同程度のサイズのものであり、高い伸縮方向を縦に且つ二重にした綿ジャージー生地で形成されている。更に、ジャージー製筒状体の上端部には一対の耳掛け穴をそれぞれ設けている。
【０００９】
この保温着は、上述の如き構造であるから、そのタートルネック部の所定位置への保持は、生地の伸縮性によるものではなく、一対の耳掛け穴を利用者の耳に係止して行うものである。ところで、人間の顔の大きさと形は様々であり、耳の大きさと形も様々である。このため、利用者に合わせて耳掛け穴の大きさや位置を調節できることが好ましいが、上述の保温着の構造ではこれは不可能である。そこで、上述の保温着では、標準的な耳に合わせた大きさの横長の楕円形の耳掛け穴を綿ジャージー製タートルネック部の標準的な位置に形成した。このため、一部の利用者を除き、就寝時に利用者の耳から耳掛け穴が外れることはないことは分かった。しかしながら、外れないけれども、耳への負担を感じる利用者も一部に存在することも分かった。
【特許文献１】実用新案登録第３１０５９７８号公報
【特許文献２】実用新案登録第３１０５２７１号公報
【特許文献３】実用新案登録第３０９９４６０号公報
【考案の開示】
【考案が解決しようとする課題】
【００１０】
本考案が解決しようとする課題は、一対の耳掛け穴を備えたゆったりサイズのジャージー製タートルネック部を丸首の保温着本体に縫合した保温着において、前記一対の耳掛け穴が、様々なサイズと形の顔と耳にも関わらず利用者に快適な装着感を与えると共に耳に確実に係止されるようにすることである。
【課題を解決するための手段】
【００１１】
上述の課題を解決する保温着は、高い伸縮方向を縦に且つ二重にしたジャージー生地で形成されたゆったりサイズのジャージー製タートルネック部を丸首のジャージー製保温着本体部に縫合した保温着であって、前記タートルネック部には、その長軸の延長線Ｌが利用者２の耳３の位置の水平線Ｌ１と耳３と顎を結ぶ斜線Ｌ２とがなす角度内に入るようにして形成された一対の楕円形の耳掛け穴を備えていることを特徴とするものである。
【考案の効果】
【００１２】
本考案により、一対の耳掛け穴を備えたゆったりサイズのジャージー製タートルネック部を有する保温着であって、着脱容易で、圧迫感のない快適な着用感が得られ、且つ、前記一対の耳掛け穴が利用者に快適な装着感を与えると共に耳に確実に係止される保温着が提供された。より具体的には、利用者によってサイズも形状も様々な顔と耳にもかかわらず、快適で且つ確実に耳に係止する耳掛け穴を備えたゆったりサイズのタートルネック部が実現された。
【考案を実施するための最良の形態】
【００１３】
本考案の保温着は、高い伸縮方向を縦に且つ二重にしたジャージー生地で形成されたゆったりサイズの綿ジャージー製タートルネック部を丸首の綿ジャージー製保温着本体部に縫合した保温着であって、前記タートルネック部には、その長軸の延長線が利用者の耳の位置の水平線と耳と顎を結ぶ斜線とがなす角度内に入るようにして形成された一対の楕円形の耳掛け穴を備えていることを特徴とするものである。
【実施例１】
【００１４】
本考案の実施例１の保温着は、図１と図２に示す如く、ゆったりサイズのジャージー製タートルネック部を丸首の綿ジャージー保温着本体１０に縫合した保温着１において、前記ジャージー製タートルネック部を、高い伸縮方向を縦に且つ二重にしたジャージー生地で形成されたジャージー製漏斗状体２０としたものである。そして、ジャージー製漏斗状体２０はその長さが利用者の肩から耳付近まで、その最大筒周りが利用者の頭周りより１割から２割程度大きく且つその最小筒周りが利用者の頭周りと同程度のサイズのものであり、高い伸縮方向を縦に且つ二重にした綿ジャージー生地で形成されている。更に、ジャージー製筒状体２０の上端部には一対の耳掛け穴２３，２３をそれぞれ設けている。
【００１５】
高い伸縮方向を縦に且つ二重にした綿ジャージー生地で形成されたジャージー製漏斗状体２０は、着脱や洗濯を繰り返しても、その筒回りが拡大し難く、従って、綿ジャージー製漏斗状体の最初の形状を概ね保持し続けることができる。
【００１６】
ジャージー製漏斗状体２０は、前側衿部材２１と後側衿部材２２の対応する左右の側端部は縫い代を重ね合わせて縫合し、更に、前記前側衿部材２１の上端部と後側衿部材２２の上端部は縫い代１０ｍｍ程度を折り返して縫合して製作されている。
【００１７】
前側衿部材２１と後側衿部材２２の左右の縫い代を重ねて縫い合わせした部分、即ち衿部材縫合部２０ｂ，２０ｂは、綿ジャージー生地が四重になっている。また、ジャージー製漏斗状体２０の上側開口端部２０ａも綿ジャージー生地が四重になっている。
【００１８】
実施例１において、一対の耳掛け穴２３，２３は、前側衿部材２１の左右の上端部にそれぞれ設けられているが、これは前側衿部材２１を後側衿部材２２の２倍程度大きくしたためである。逆に、後側衿部材２２を前側衿部材２１の２倍程度大きくした場合には、一対の耳掛け穴２３，２３は後側衿部材２２の左右の上端部にそれぞれ設けられる。
【００１９】
実施例１において、一対の耳掛け穴２３，２３は、その長軸が前方に傾斜した楕円形の耳掛け穴である。即ち、図１と図４に示す如く、一対の耳掛け穴２３，２３は、その長軸の延長線Ｌが利用者２の耳３の位置の水平線Ｌ１と耳３と顎を結ぶ斜線Ｌ２とがなす角度α内に入るようにして形成されたものである。
【００２０】
耳掛け穴２３，２３の周縁には、緩衝部２３ａが形成されている。緩衝部２３ａは、耳掛け穴２３の周縁を５から１０ｍｍ程折り返して縫い取りを施して形成されている。ジャージー製漏斗状体２０は高い伸縮方向を縦に且つ二重にした綿ジャージー生地で形成されているので、着脱や洗濯を繰り返しても、布製漏斗状体の最初からの形状を概ね保持し続けることができ、従って一対の耳掛け穴２３，２３の相対位置が変わることがない。
【００２１】
ジャージー製漏斗状体２０は、その長さが利用者の肩から耳付近までの長さ、例えば２２ｃｍである。また、ジャージー製漏斗状体２０は、その最大筒周りが利用者の頭周りより１割から２割程度大きいサイズ、例えば７０ｃｍである。更に、その最小筒周りは利用者の頭周りと同程度のサイズ、例えば５８ｃｍである。ジャージー製漏斗状体２０は、その上側開口端部２０ａが最大の筒周りであって、下側開口端部２０ｃに向かって徐々に筒周りが小さくなる漏斗状体である。但し、完全な漏斗形ではなく、上半分ぐらいは略漏斗形、下半分は略円筒形である。更に、下半分の略円筒形は上半分が略円筒形で下半分は略逆漏斗形体である。従って、ジャージー製漏斗状体２０の最小筒周りは上記略円筒形の部分、即ち、着用時に利用者の首をカバーする部分の筒周りである。要するに、ジャージー製漏斗状体２０は、市販のタートルネックセーターのタートルネック部とは比較にならない程の大きなタートルネック部である。
【００２２】
ジャージー製漏斗状体２０の上方への位置ずれを防止する丸首の保温着本体１０は、高い伸縮方向を横に且つ一重にした綿ジャージー生地で形成され、保温着本体部１１、衿ぐり１２、及び腕の付け根付近まで延伸した肩カバー部１４，１４を備え、下端部１５が利用者２の臀部付近までの長さ、従って着丈が身長の三分の一程度の丸首の綿ジャージーの着衣である。下端部１５は、綿ジャージー生地が１０ｍｍ程度の縫い代を折り返されて、且つ縫合されている。
【００２３】
上述の如く製作されたジャージー製漏斗状体２０の下端開口端２０ｃを保温着本体１０の衿ぐり１２に縫い付ければ、実施例１の保温着が完成する。従って、保温着は構成及び製作工程は簡単であり、低コストで製作できる。なお、実施例１において、ジャージー製漏斗状体２０は純綿ジャージー生地を用いて製作されているが、混綿ジャージー生地でもよい。また、縦方向と横方向の伸縮率が綿ジャージー生地と同等の合繊ジャージー生地やシルクジャージー生地を用いることも可能である。
【００２４】
以下、実施例１の保温着の特徴的な作用効果等について説明する。
【００２５】
（保温着の着脱）
保温着は、図３に示す如く、通常はパジャマの上に重ねて着用するものである。ところで、ジャージー製漏斗状体２０は、高い伸縮方向を縦に且つ二重にした綿ジャージー生地で形成されているので、横方向には殆ど伸びず、その筒回りは着脱時にも殆ど拡大することはない。それでも、就寝時用保温着の着脱は極めて簡単である。利用者２は保温着を頭から被り、ジャージー製漏斗状体２０から顔の上半分が露出したら、一対の耳掛け穴２３，２３に両耳を引っ掛けるだけで、就寝時用保温着の着用が完了する。そして、着用が完了すると同時に、ジャージー製漏斗状体２０は、所定着用位置に保持される。また、着用した就寝時用保温着を脱ぐことも当然ながら簡単である。
【００２６】
（ジャージー製漏斗状体の所定着用位置への保持）
実施例１の保温着を着用し、ベッドに仰向けに寝ているときの利用者を真横から見る  と、図４の斜視図の如く、ジャージー製漏斗状体２０の前側部分の上端縁は利用者２の目よりも下にある。即ち、保温着は、利用者２の目を塞ぐことはないのである。これは、ジャージー製漏斗状体２０の一対の耳掛け穴２３，２３は利用者２の両耳３，３に掛けられているが、ジャージー製漏斗状体２０の前側の上半分は利用者２の顎に引っ張られているからである。言わば、ジャージー製漏斗状体２０の前側の上半分は、利用者の両耳と顎による三点支持で、所定位置に保持されているのである。この三点支持と、一対の楕円形の耳掛け穴２３，２３を前方に傾斜して設けたことが相まって、一対の耳掛け穴２３，２３は利用者の耳に快適に且つ確実に係止されるのである。この場合、利用者によってサイズも形状も様々な顔と耳にもかかわらず、一対の耳掛け穴２３，２３は利用者の耳に快適に且つ確実に係止されるのである。
【００２７】
ところで、図４では、ジャージー製漏斗状体２０は利用者の顎と首を同時にカバーしているだけでなく、両頬、口、及び鼻まで切れ目無く同時にカバーしている。しかしながら、ジャージー製漏斗状体２０の前側を頭側に引っ張ると、図３に示す如く、鼻だけ、或いは鼻と口を簡単に露出させることもできる。
【００２８】
（保温着の保温機能）
実施例１の保温着の快適な保温機能は、主に、ジャージー製漏斗状体２０と利用者の首の間に形成され、首をぐるりと囲み、且つ利用者の肩側端部も顎側端部も閉じた筒状閉鎖隙間によって達成されている。前記筒状閉鎖隙間は、長さは利用者の首の長さと同じで、間隔は様々であるが最大は２０ｍｍ程度である。そして、この筒状閉鎖隙間に閉じ込められた空気が、利用者の首全体を包み、冷えた外気が利用者の首に直接伝わらないように機能すると共に、利用者の体温に近い温度を保持する。換言すれば、実施例１の保温着の快適な保温機能は、主に、ジャージー製漏斗状体２０と利用者の首の間に形成された筒状空気層によって達成されているのである。
【００２９】
また、実施例１の保温着の快適な保温機能は、ジャージー製漏斗状体２０が利用者の首をぐるりと囲む前記筒状空気層を形成すると共に、残りの部分が利用者の両頬と顎を圧迫感なくカバーしていることによって更に効果的に達成されている。
【００３０】
上述の如き快適な保温機能を有するので、保温着を着用した場合は、冷えた外気は首から襲ってこないし、首から水分が逃げることもない。このことから、保温着のジャージー製漏斗状体２０は、全身を快適に保温することに貢献していると共に、両頬並びに首を適度に保湿しているのである。また、保温着が保温用肩カバーと保温用腹巻として機能しているから、肩や背中から冷えた外気が襲ってくることがない。
【００３１】
（保温着の着用感）
実施例１の保温着は体のどの部位にも圧迫感を与えない形状とサイズであるので、利用者２に快適な着用感を与えるものである。即ち、ジャージー製漏斗状体２０の一対の耳掛け穴２３，２３が両耳３，３に掛けられている状態で利用者がベッドや布団に寝ているときには、図４から理解される如く、ジャージー製漏斗状体２０の前側の上半分は両耳と顎の三点で支持されているが、これは生地の伸縮性を利用したものではないので、利用者の顔を圧迫することはない。このため、試着者の殆どが、やや厚手の柔らかい布でふんわり包まれたような暖かさ、安堵感を感じている。
【００３２】
（風邪予防効果）
風邪の予防などを目的として、就寝時に冷気から首と頬を保温すると共に鼻や喉の乾燥を防止する最も一般的な方法は、冬用のハイネックパジャマを着込み、首にはハンカチや手拭いを巻き、顔には口を覆うマスクを着用して就寝するものである。実施例１の保温着は、図３と図４から理解される如く、この一般的な方法を１着の保温着で実現する構造である。従って、保温着１は風邪予防について非常に効果があることが分かった。また、利用者の身長の三分の一程度の着丈の、丸首の綿ジャージー保温着本体１０は、上半分はショルダーウォーマーとして、下半分は腹巻としてそれぞれ機能する。従って、丸首の綿ジャージー保温着本体１０自体も、風邪予防効果を奏する。何よりも、本考案に係る一対の耳掛け穴を備えたゆったりサイズのジャージー製タートルネック部を丸首の保温着本体に縫合した保温着は、僅か１着で、マスク、ネックウォーマー、ショルダーウォーマー、腹巻の４つの保温グッズの保温機能を全て備えているのである。しかも、これら４つの保温グッズを全て装着した場合に比較すると、本考案に係る保温着は保温すべき部位を全体としてバランスよく快適に保温するものであるから、風邪予防効果は顕著である。
【００３３】
（保湿効果と鼻呼吸促進機能）
実施例１の保温着を着用すると、図３と図４に示す如く、ジャージー製漏斗状体２０の上半分は鼻と口と両頬を被う大きなフェイスマスク、或いは口と両頬を被う大きなフェイスマスクとして機能している。このため、図３と図４から理解されるように、自分の温かい湿った呼気がジャージー製漏斗状体２０の中に入り込むことになる。これらの作用により、女性の試着者には首、顎、両頬が適度に保湿される効果が認められた。
また、前記フェイスマスクは、上述した如く、利用者の両耳と顎の３点で安定的に支持されている。このために、ジャージー製漏斗状体２０の上半分の前側部分は利用者２の下顎を持ち上げるように作用する。実際に利用してみれば分かるが、下顎を持ち上げる力は小さいのに口を開けることは難しく、自然に口を閉じることになる。従って、利用者２は就寝中に、健康に良いと言われている鼻呼吸を自然に行うようになる。
【００３４】
（実施例１の変形例）
以上、ゆったりサイズのジャージー製タートルネック部は、その長さが利用者の肩から耳付近まで、その最大筒周りが利用者の頭周りより１割から２割程度大きく且つその最小筒周りが利用者の頭周りと同程度のサイズの漏斗状体２０としたが、円筒状体であってもよい。この場合、前記円筒状体は、その長さが利用者の肩から耳付近まで、その筒周りが利用者の頭周りより１割から２割程度大きな円筒状体である。
【図面の簡単な説明】
【００３５】
【図１】実施例１の保温着の正面図である。
【図２】実施例１の保温着の背面図である。
【図３】実施例１の保温着を着用して直立した利用者を真横から見た斜視図（Ａ）と正面から見た斜視図（Ｂ）である。
【図４】実施例１の保温着を着用し、ベッドに仰向けに寝ているときの利用者を真横から見た斜視図である。
【符号の説明】
【００３６】
１  保温着
２  利用者
３  耳
５  ベッド
６  枕
１０  保温着本体
１１  保温着本体部
１２  衿ぐり部
１３  袖ぐり部
１４  肩カバー部
２０  ジャージー製漏斗状体
２０ａ  上側開口端部
２０ｂ  衿部材縫合部
２０ｃ  下側開口端部
２１  前側衿部材
２２  後側衿部材
２３  耳掛け穴
２３ａ  緩衝部
【図１】
0003145210.tif 000003
【図２】
0003145210.tif 000004
【図３】
0003145210.tif 000005
【図４】
0003145210.tif 000006